(57)【要約】【課題】回転バケットの内周面の傷付きを防止することができ、しかも回転バケット内にボトル商品を円滑に挿入することのできるボトル商品の自動販売機を提供する。【解決手段】回転バケット３０の内周面には周方向に延びるように形成された複数の周方向突状部３２ｄが設けられ、回転バケット３０内に収容されたボトル商品Ａが回転バケット３０の内周面に接触することがないので、ボトル商品Ａが接触することによる回転バケット３０の内周面の傷付きを防止することがでる。また、各上下方向突状部３２ｅが各周方向突状部３２ｄのうち最も下側に配置された周方向突状部３２ｄの上面から上方に延びるように形成されているので、ボトル商品Ａは周方向突状部３２ｄに引っ掛かる前に各上下方向突状部３２ｅに接触し、ボトル商品Ａが周方向突状部３２ｄに引っ掛かることがない。【選択図】図７
2007286749.tif 000002
【特許請求の範囲】
【請求項１】
前面を開口した自動販売機本体と、自動販売機本体内に設けられ、複数のボトル商品を起立状態で前後方向に並ぶように複数列収容可能な収容ラックと、収容ラック内に収容された各ボトル商品を列ごとに仕切り、収容ラック内に複数の商品通路を形成する複数の仕切板と、収容ラックに設けられ、各商品通路内のボトル商品を前方に向かって移動可能に支持するスライダーと、各商品通路の前方にそれぞれ配置されるように収容ラックに設けられ、周方向の一部に開口部を有する略筒状に形成された複数の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記回転バケットの内周面に、周方向に延びるとともに回転バケットの内側に突出するように形成された周方向突状部と、周方向突状部の上面または上面の近傍から上方に延びるとともに回転バケットの内側に突出するように形成された上下方向突状部とを設けた
ことを特徴とするボトル商品の自動販売機。
【請求項２】
前記上下方向突状部を、上方から下方に向かって徐々に回転バケットの内側に突出するように形成した
ことを特徴とする請求項１記載のボトル商品の自動販売機。
【請求項３】
前記商品通路の側壁の上端を、商品通路内に収容された各ボトル商品のうち前から２つ目以降のボトル商品に対応する位置がボトル商品の上端よりも低くなるように形成した
ことを特徴とする請求項１または２記載のボトル商品の自動販売機。
【発明の詳細な説明】
【技術分野】
【０００１】
本発明は、飲料入りのビンやペットボトル等のボトル商品を起立状態で収容する収容ラックを有し、収容ラックの前面側に設けられた回転バケットによってボトル商品を１つずつ搬出するようにしたボトル商品の自動販売機に関するものである。
【背景技術】
【０００２】
従来、この種のボトル商品の自動販売機としては、前面を開口した自動販売機本体と、自動販売機本体の開口部を開閉自在なガラス扉と、自動販売機本体に前方に向かって引き出し可能に装着され、複数のボトル商品を起立状態で前後方向に並ぶように複数列収容可能に形成されるとともに、収容された各ボトル商品が底板の傾斜によって前方に向かって移動するように構成された収容ラックと、収容ラック内に収容された各ボトル商品を列ごとに仕切り、収容ラック内に複数の商品通路を形成する仕切板と、各商品通路の前方にそれぞれ配置されるとともにガラス扉の背面側に配置されるように収容ラックに設けられ、周方向の一部に開口部を有する略円筒形状に形成された複数の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出されるとともに、商品通路内の各ボトル商品のうち次に最前となったボトル商品が回転バケットの外周面に後方から当接するようにしたものが知られている（例えば、特許文献１参照。）。
【特許文献１】特開２０００−２９３７５１号公報
【発明の開示】
【発明が解決しようとする課題】
【０００３】
ところで、前記自動販売機では、回転バケットが透明な合成樹脂材料から形成されているので、回転バケットを開口部が後方を向く回転方向所定位置に配置するとともに、回転バケット内にボトル商品が収容されると、ガラス扉及び回転バケットを透してボトル商品の種類を視認することができる。また、合成樹脂材料よりも硬いガラス製のボトル商品を回転バケットに収容する場合は、ボトル商品によって回転バケットの内周面に傷が付き、回転バケット内のボトル商品の視認性が低下するので、回転バケットの内周面に周方向に延びる突状部を互いに上下方向に間隔をおいて複数個所に設け、回転バケットの内周面の傷付きを防止している。
【０００４】
一方、収容ラックにボトル商品を装填する場合は、各回転バケットが前記回転方向所定位置に配置されている状態で、商品通路内及び回転バケット内にボトル商品を挿入する。しかしながら、回転バケットの内周面には周方向に延びる複数の突状部が設けられているので、回転バケットに挿入しようとしたボトル商品が突状部に引っ掛かり、回転バケット内にボトル商品を挿入し難いという問題点があった。
【０００５】
本発明は前記問題点に鑑みてなされたものであり、その目的とするところは、回転バケットの内周面の傷付きを防止することができ、しかも回転バケット内にボトル商品を円滑に挿入することのできるボトル商品の自動販売機を提供することにある。
【課題を解決するための手段】
【０００６】
本発明は前記目的を達成するために、前面を開口した自動販売機本体と、自動販売機本体内に設けられ、複数のボトル商品を起立状態で前後方向に並ぶように複数列収容可能な収容ラックと、収容ラック内に収容された各ボトル商品を列ごとに仕切り、収容ラック内に複数の商品通路を形成する複数の仕切板と、収容ラックに設けられ、各商品通路内のボトル商品を前方に向かって移動可能に支持するスライダーと、各商品通路の前方にそれぞれ配置されるように収容ラックに設けられ、周方向の一部に開口部を有する略筒状に形成された複数の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記回転バケットの内周面に、周方向に延びるとともに回転バケットの内側に突出するように形成された周方向突状部と、周方向突状部の上面または上面の近傍から上方に延びるとともに回転バケットの内側に突出するように形成された上下方向突状部とを設けている。
【０００７】
これにより、回転バケットの内周面には周方向に延びるように形成された周方向突状部が設けられていることから、回転バケット内に収容されたボトル商品が回転バケットの内周面に接触することがない。また、回転バケットの内周面には上下方向突状部が設けられ、上下方向突状部は周方向突状部の上面または上面の近傍から上方に延びるように設けられていることから、回転バケット内にボトル商品を挿入すると、ボトル商品は周方向突状部に引っ掛かる前に上下方向突状部に接触し、ボトル商品が周方向突状部に引っ掛かることがない。
【発明の効果】
【０００８】
本発明によれば、回転バケット内に収容されたボトル商品が回転バケットの内周面に接触することがないので、ボトル商品が接触することによる回転バケットの内周面の傷付きを防止することができ、外部からのボトル商品の視認性を確保することができる。また、回転バケット内にボトル商品を挿入する際に、ボトル商品が周方向突状部に引っ掛かることがないので、回転バケット内にボトル商品を円滑に挿入することができ、ボトル商品の装填作業を効率的に行う上で極めて有利である。
【発明を実施するための最良の形態】
【０００９】
図１乃至図７は本発明の一実施形態を示すもので、図１は自動販売機の斜視図、図２は収容ラックの斜視図、図３は収容ラックの平面図、図４は取付板及び駆動機構を取外した状態の収容ラックの平面図、図５は収容ラックの側面図、図６はスライダー、当接部材及び回転バケットの側面図、図７はバケットの斜視図である。
【００１０】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５とを有する。また、以下の文章中の方向の説明は図１及び図２に示した方向に準ずる。また、以下の文章中の幅方向は図１及び図２に示した左右方向と一致している。
【００１１】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、図１における右端が自動販売機本体１に支持されている。また、前面扉２の左端には開閉のための取手２ａが設けられている。
【００１２】
収容ラック１０は、前後方向に延びるように設けられた一対の側面板１１と、各側面板１１の前端に固定されている前面板１２と、各側面板１１の後端に固定されている背面板１３と、収容ラック１０内に収容された各ボトル商品Ａを列ごとに仕切り、収容ラック１０内に複数の商品通路１０ａを形成するための複数の仕切板１４とを有する。また、商品通路１０ａの側壁を構成する各側面板１１及び各仕切板１４の上端は、商品通路１０ａ内に収容された各ボトル商品Ａのうち前から２つ目以降（図５において後方から４本）のボトル商品Ａに対応する位置がボトル商品Ａの上端よりも低くなるように形成されている（図５参照）。さらに、背面板１３の上端も収容されたボトル商品Ａの上端よりも低くなるように形成されている。
【００１３】
各側面板１１の前端側には左右方向に貫通する第１取付孔１１ａがそれぞれ設けられ、各側面板１１の後端側には左右方向に貫通する複数の第２取付孔１１ｂがそれぞれ設けられるとともに、各第２取付孔１１ｂは互いに上下方向に間隔をおいて配置されている。また、各側面板１１にはそれぞれ前後方向に延びるレール１１ｃが設けられている。
【００１４】
前面板１２の中央部には矩形状の開口部１２ａが設けられている。また、前面板１２の上端側の背面には取付板１２ｂが設けられ、取付板１２ｂは前面板１２の背面から後方に向かって延びている。前面板１２の下端側の背面には平板状の商品受け１２ｃが設けられ、商品受け１２ｃは前面板１２の背面から後方に向かって延びている。
【００１５】
各スライダー２０は各商品通路１０ａごとに設けられ、商品通路１０ａ内に収容されたボトル商品Ａの底面を前方に向かって移動可能に支持している。スライダー２０の上面には複数の突状部２０ａが設けられ、各突状部２０ａは前後方向に延びるように設けられている。これにより、ボトル商品Ａとスライダー２０との摩擦抵抗が低減される。また、スライダー２０の上面の幅方向中央には前後方向に延びる凹状部２０ｂが設けられている。また、スライダー２０には当接部材４０が前後方向に移動可能に係合しており、当接部材４０は図示しない付勢部材によって前方に向かって付勢されている。
【００１６】
一方、収容ラック１０の各側面板１１の第１取付孔１１ａには棒状の前端支持部材６０の端部がそれぞれ挿通し、収容ラック１０の各側面板１１の第２取付孔１１ｂには棒状の後端支持部材７０の端部がそれぞれ挿通している。各スライダー２０の前端は前端支持部材６０にそれぞれ係合し、各スライダー２０の後端は後端支持部材７０にそれぞれ係合している。即ち、各スライダー２０は各支持部材６０，７０を介して収容ラック１０に支持されている。
【００１７】
当接部材４０はスライダー２０に載置された各ボトル商品Ａのうち最後尾のボトル商品Ａに後方から当接可能であり、当接部材４０の前面はボトル商品Ａの側面に沿うように曲面状に形成されている。
【００１８】
各回転バケット３０は透明な合成樹脂材料から成る。また、各回転バケット３０は、スライダー２０の前端の上面より少し低い位置に設けられた円板状の載置部３１と、載置部３１の上面から上方に延びるように設けられた略円筒形状の筒状部３２とを有する。
【００１９】
載置部３１の下面には円筒状のボス３１ａが設けられ、ボス３１ａは収容ラック１０の商品受け１２ｃに回転自在に支持されている。
【００２０】
筒状部３２の周方向の一部には開口部３２ａが設けられ、開口部３２ａは筒状部３２の外周面の一部が略半周に亘って開口することにより形成されている。筒状部３２の上面には円筒状のボス３２ｂが設けられ、ボス３２ｂは収容ラック１０の取付板１２ｂに回転自在に係合している。筒状部３２の外周面には周方向に延びる突状部３２ｃが設けられ、突状部３２ｃはスライダー２０の前端に載置されたボトル商品Ａの重心よりも高い位置に設けられている。また、突状部３２ｃは筒状部３２の外周面よりも径方向外側に突出している。筒状部３２の内周面には、周方向に延びるとともに回転バケット３０の径方向内側に突出するように形成された複数の周方向突状部３２ｄと、各周方向突状部３２ｄのうち最も下側に配置された周方向突状部３２ｄの上面から上方に延びるとともに回転バケット３０の径方向内側に突出するように形成された複数の上下方向突状部３２ｅとが設けられている。各上下方向突状部３２ｅは上方から下方に向かって回転バケット３０の径方向内側に徐々に突出するように形成されている。
【００２１】
各回転バケット３０は前面板１２の背面側に配置されている。また、各回転バケット３０の間にはそれぞれ第１フレーム３３が設けられ、幅方向両側の回転バケット３０と側面板１１との間にはそれぞれ第２フレーム３４が設けられている。これにより、各回転バケット３０の間に生ずる隙間が閉鎖されるとともに、幅方向両側の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２の背面側は各回転バケット３０の筒状部３２の外周面、各フレーム３３，３４、取付板１２ｂ及び商品受け１２ｃによって閉鎖され、収容ラック１０内のボトル商品Ａに対する悪戯等の不正を防止することができる。また、各回転バケット３０は透明な合成樹脂材料から形成されるとともに、前面扉２にはガラス板２ａが設けられているので、回転バケット３０内に収容されたボトル商品Ａの種類を自動販売機本体１の前面側から視認することができる。
【００２２】
駆動機構３５は周知の電動モータから成り、収容ラック１０の取付板１２ｂに固定されている。また、駆動機構３５の図示しない駆動シャフトが回転バケット３０の上部に回転方向に係合している。
【００２３】
このように構成されたボトル商品の自動販売機において、収容ラック１０を自動販売機本体１に装着する場合は、収容ラック１０の各レール１１ｃを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｃの傾きが設定されている。
【００２４】
自動販売機本体１に装着された収容ラック１０に複数のボトル商品Ａを装填すると、各ボトル商品Ａは各商品通路１０ａ内に前後方向に並ぶように収容される。また、商品通路１０ａ内のボトル商品Ａはスライダー２０の傾斜及び当接部材４０の付勢力によって前方に向かって移動する。
【００２５】
また、各ボトル商品Ａがスライダー２０上を前方に向かって移動すると、各ボトル商品Ａのうち最前のボトル商品Ａが回転バケット３０内に収容される。ここで、紙幣投入口３または硬貨投入口４に貨幣が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される。これにより、回転バケット３０内のボトル商品Ａが前方に搬出される。回転バケット３０から搬出されたボトル商品Ａは前面扉２を開放することにより取出される。
【００２６】
ここで、回転バケット３０の筒状部３２の内周面には周方向に延びるように形成された複数の周方向突状部３２が設けられていることから、回転バケット３２内に収容されたボトル商品Ａが回転バケット３０の筒状部３２の内周面に接触することがない。
【００２７】
一方、各商品通路１０ａ内のボトル商品Ａが無くなり、各商品通路１０ａ内にボトル商品Ａを装填する場合は、開口部３２ａが後方を向く回転方向所定位置に各回転バケット３０が配置されている状態で、各商品通路１０ａ内及び各回転バケット３０内にボトル商品Ａを挿入する。ここで、回転バケット３０の内周面には複数の周方向突状部３２ｄが設けられているが、回転バケット３０の内周面には複数の上下方向突状部３２ｅも設けられ、各上下方向突状部３２ｅは各周方向突状部３２ｄのうち最も下側に配置された周方向突状部３２ｄの上面から上方に延びるように形成されているので、回転バケット３０内にボトル商品Ａを挿入すると、ボトル商品Ａが最も下側に配置された周方向突状部３２ｄに引っ掛かる前に各上下方向突状部３２ｅに接触し、ボトル商品Ａが最も下側に配置された周方向突状部３２ｄに引っ掛かることがない。
【００２８】
このように、本実施形態によれば、回転バケット３０の内周面には周方向に延びるように形成された複数の周方向突状部３２ｄが設けられ、回転バケット３０内に収容されたボトル商品Ａが回転バケット３０の内周面に接触することがないので、ボトル商品Ａが接触することによる回転バケット３０の内周面の傷付きを防止することができ、外部からのボトル商品Ａの視認性を確保することができる。
【００２９】
また、回転バケット３０の内周面には複数の上下方向突状部３２ｅが設けられ、各上下方向突状部３２ｅは各周方向突状部３２ｄのうち最も下側に配置された周方向突状部３２ｄの上面から上方に延びるように形成されているので、回転バケット３０内にボトル商品Ａを挿入すると、ボトル商品Ａは最も下側に配置された周方向突状部３２ｄに引っ掛かる前に各上下方向突状部３２ｅに接触する。即ち、回転バケット３０内にボトル商品Ａを挿入する際に、ボトル商品Ａが最も下側に配置された周方向突状部３２ｄに引っ掛かることがないので、回転バケット３０内にボトル商品Ａを円滑に挿入することができ、ボトル商品の装填作業を効率的に行う上で極めて有利である。
【００３０】
また、各上下方向突状部３２ｅは上方から下方に向かって回転バケット３０の径方向内側に徐々に突出するように形成されているので、回転バケット３０内にボトル商品Ａを挿入する際にボトル商品Ａが各上下方向突状部に引っ掛かることがなく、回転バケット３０内にボトル商品Ａを円滑に挿入する上で有利である。
【００３１】
また、商品通路１０ａの側壁を構成する側面板１１及び各仕切板１４の上端は、各商品通路１０ａ内に収容された各ボトル商品Ａのうち前から２つ目以降のボトル商品Ａに対応する位置がボトル商品Ａの上端よりも低くなるように形成されているので、各商品通路１０ａにボトル商品Ａを容易に装填することができ、ボトル商品Ａの装填作業を効率的に行うことができる。さらに、各商品通路１０ａ内を容易に視認することができるとともに、各商品通路１０ａ内に手を挿入し易くなるので、各商品通路１０ａ内の清掃も容易に行うことができる。
【００３２】
尚、本実施形態では、各周方向突状部３２ｄのうち最も下側の周方向突状部３２ｄの上面から上方に向かって延びる上下方向突状部３２ｅを設けたものを示したが、他の周方向突状部３２ｄの上面から上方に向かって延びる上下方向突状部３２ｅをさらに設けることも可能である。
【００３３】
また、本実施形態では、各上下方向突状部３２ｅを周方向突状部３２ｄの上面から上方に向かって延びるように形成したものを示したが、各上下方向突状部３２ｅを周方向突状部３２ｄの上面の近傍から上方に向かって延びるように形成することも可能である。
【００３４】
尚、本実施形態では、当接部材４０がスライダー２０に前後方向に移動可能に係合するとともに、当接部材４０が前方に向かって付勢され、当接部材４０によってスライダー２０上の各ボトル商品Ａが前方に向かって付勢されるようにしたものを示したが、スライダー２０は後端から前端に向かって下方に傾斜しており、各ボトル商品Ａは自重によってスライダー２０上を前方に向かって移動するので、当接部材４０は設けなくとも良い。
【図面の簡単な説明】
【００３５】
【図１】本発明の一実施形態を示す自動販売機の斜視図
【図２】収容ラックの斜視図
【図３】収容ラックの平面図
【図４】取付板及び駆動機構を取外した状態の収容ラックの平面図
【図５】収容ラックの側面図
【図６】スライダー、当接部材及び回転バケットの側面図
【図７】バケットの斜視図
【符号の説明】
【００３６】
１…自動販売機本体、２…前面扉、２ａ…ガラス板、１０…収容ラック、１０ａ…商品通路、１１…側面板、１１ｃ…レール、１２…前面板、１２ａ…開口部、１３…背面板、１４…仕切板、２０…スライダー、３０…回転バケット、３１…載置部、３１ａ…ボス、３２…筒状部、３２ａ…開口部、３２ｂ…ボス、３２ｃ…突状部、３２ｄ…周方向突状部、３２ｅ…上下方向突状部、３５…駆動機構、４０…当接部材、６０…前端支持部材、７０…後端支持部材、Ａ…ボトル商品。
【図１】
2007286749.tif 000003
【図２】
2007286749.tif 000004
【図３】
2007286749.tif 000005
【図４】
2007286749.tif 000006
【図５】
2007286749.tif 000007
【図６】
2007286749.tif 000008
【図７】
2007286749.tif 000009